(57)【要約】【課題】潤滑油に新たな機能を付与可能な機能性フィルタ付シールリングを備える転がり軸受を提供する。【解決手段】この転がり軸受１０は、外輪１と、外輪１の内周側に配置された内輪５と、外輪１および内輪５の間に転動自在に配置された複数の転動体６と、外輪１および内輪５の間をシールするシールリング８と、を備える。シールリング８は、弾性シール部材２の通油部２ｓに配置されたフィルタ４を有し、フィルタ４は、潤滑油用添加剤を坦持された繊維シートから形成されている。【選択図】図１
2020186751.tif 000002
【特許請求の範囲】
【請求項１】
外輪と、該外輪の内周側に配置された内輪と、前記外輪および前記内輪の間に転動自在に配置された複数の転動体と、前記外輪および前記内輪の間をシールするシールリングと、を備える転がり軸受であって、
前記シールリングは、通油部に配置されて潤滑油用添加剤を坦持されたフィルタを有することを特徴とする転がり軸受。
【請求項２】
前記フィルタは、潤滑油用添加剤を坦持された繊維シートから形成されている請求項１に記載の転がり軸受。
【請求項３】
前記潤滑油用添加剤は、液体状のものであり且つ多孔質粉体又はカプセルに含有された状態で前記フィルタにより坦持される請求項１又は２に記載の転がり軸受。
【発明の詳細な説明】
【技術分野】
【０００１】
本発明は、シールリングの通油部にフィルタを備える転がり軸受に関する。
【背景技術】
【０００２】
特許文献１や特許文献２に記載の技術によれば、シールリングの通油部にフィルタを配置している。これら文献に記載の技術によれば、潤滑油がフィルタを通過することにより、軸受内への異物の侵入を防止し、軸受軌道面のはく離を抑制できる。
【先行技術文献】
【特許文献】
【０００３】
【特許文献１】特開２０１６−１８８７０６号公報
【特許文献２】特開２０１６−０２９３０３号公報
【発明の概要】
【発明が解決しようとする課題】
【０００４】
しかし、いずれの文献に記載の技術においても、通油部のフィルタは、単に、潤滑油中の異物の侵入を防ぐ機能を奏するものの、潤滑油自身は、時間の経過と共に劣化が進行するという問題がある。
そこで、本発明は、このような問題点に着目してなされたものであって、潤滑油の劣化抑制や潤滑油性能の向上等の新たな機能を潤滑油に付与可能な、機能性フィルタ付シールリングを備える転がり軸受を提供することを課題とする。
【課題を解決するための手段】
【０００５】
上記課題を解決するために、本発明の一態様に係る転がり軸受は、外輪と、該外輪の内周側に配置された内輪と、前記外輪および前記内輪の間に転動自在に配置された複数の転動体と、前記外輪および前記内輪の間をシールするシールリングと、を備える転がり軸受であって、前記シールリングは、通油部に配置されて潤滑油用添加剤を坦持されたフィルタを有することを特徴とする。
本発明の一態様に係る転がり軸受によれば、シールリングの通油部にフィルタを配置しているので、潤滑油がフィルタを通過することにより、潤滑油中の異物がフィルタに捕捉される。そのため、軸受内への異物の侵入を防止することができ、異物の噛み込みによる軸受軌道面の耐はく離寿命を向上させることができる。
【０００６】
さらに、本発明の一態様に係る転がり軸受によれば、このフィルタに潤滑油用添加剤を坦持させているので、潤滑油がフィルタを通過することにより、添加剤が徐々に潤滑油に添加され、添加剤に応じた効果を潤滑油に付与できる（例えば、潤滑油の高機能・高性能・長寿命化）。よって、潤滑油の劣化抑制や潤滑油性能の向上等、潤滑油に新たな機能の付与が可能となる。
【発明の効果】
【０００７】
上述したように、本発明によれば、潤滑油の劣化抑制や潤滑油性能の向上等の新たな機能を潤滑油に付与できる。
【図面の簡単な説明】
【０００８】
【図１】本発明一態様に係る転がり軸受の一実施形態に係る機能性フィルタシール付シールリングを備える転がり軸受の縦断面図である。
【図２】図１の転がり軸受の正面図である。
【発明を実施するための形態】
【０００９】
以下、本発明に係る機能性フィルタ付シールリングを備える転がり軸受の実施形態の一例について、図面を適宜参照しつつ説明する。なお、図面は模式的なものである。そのため、厚みと平面寸法との関係、比率等は現実のものとは異なることに留意すべきであり、図面相互間においても互いの寸法の関係や比率が異なる部分が含まれている。
また、以下に示す実施形態は、本発明の技術的思想を具体化するための装置や方法を例示するものであって、本発明の技術的思想は、構成部品の材質、形状、構造、配置等を下記の実施形態に特定するものではない。
【００１０】
図１に示すように、この転がり軸受１０は、外輪１と、外輪１の内周側に配置された内輪５と、外輪１および内輪５の間に転動自在に配置された複数の転動体６と、複数の転動体６を保持する保持器７と、外輪１および内輪５の間をシールするシールリング８と、を備える。また、転がり軸受１０は、潤滑油循環タイプの軸受である。
本実施形態のシールリング８は、円環状の弾性シール部材２と、弾性シール部材２の通油部２ｓに嵌め込まれたフィルタ４と、裏面側の芯金３と、を有する機能性フィルタ付シールリングである。
詳しくは、図２に示すように、弾性シール部材２には、周方向に離隔して複数の通油部２ｓが開口しており、各通油部２ｓには、フィルタ４がそれぞれに嵌め込まれ、裏面側の芯金３によって保持されている。特に、このフィルタ４は、潤滑油用添加剤を坦持された繊維シートから形成されている。
【００１１】
［フィルタ材］
フィルタ４の材質は、ろ紙や不織布など、多孔質な繊維シートであれば材質は限定されない。繊維としては、例えば、木材、木綿、羊毛などの天然繊維、レーヨンなどの再生繊維やポリエステル系繊維やポリエチレン繊維、ポリプロピレン繊維などのポリオレフィン系繊維、６，６−ナイロンなどのポリアミド系繊維、ビニル系繊維、アクリル系繊維、ポリウレタン系繊維などの合成繊維や金属などの無機繊維が挙げられ、これらを単独または混合して用いることができる。
繊維の平均繊維長、平均繊維径は特に限定されない。しかし、フィルタ４の厚さは、転がり軸受１０の通油部２ｓに配置した際に、シールリング８の厚さを超えないものとする。フィルタ４は、弾性シール部材２の通油部２ｓの開口形状（この例では矩形）に合わせて多孔質の繊維シートから切り出される。
【００１２】
［フィルタの作製及び添加剤坦持方法］
本実施形態では、フィルタ４は、湿式抄造法にて、パルプを叩解した紙料の水分散液に、潤滑油用粉体添加剤を添加して、抄き込むことにより作製される。
但し、フィルタ４への潤滑油用添加剤の坦持方法は、多孔質な繊維シートの繊維に、添加剤の固定化が可能な手法や繊維シート内に添加剤を内包可能な手法であれば作製方法は限定されない。例えば、ろ紙フィルタへの坦持方法は、ろ紙を湿式抄造にて作製する際に、パルプを叩解した紙料の水分散液に添加剤も併せて添加して抄き込むことにより、添加剤を繊維に固定化できる。
また、不織布のフィルタ４への添加剤坦持方法は、不織布で潤滑油用添加剤を挟み込み、熱溶着、超音波溶着、圧着などで不織布同士を接着することにより、添加剤を内包する方法や、添加剤を添加した樹脂を不織布に含浸する方法が挙げられる。
【００１３】
［潤滑油用添加剤］
フィルタ４に坦持する潤滑油用添加剤は、潤滑油に付与する効果に応じて、所望する効果を発現する添加剤を選定する。例えば、清浄剤、分散剤、酸化防止剤、金属不活性化剤、摩耗防止剤、極圧剤、油性剤、防錆剤、腐食防止剤、摩擦調整剤、粘度指数向上剤、流動点降下剤、消泡剤などが挙げられる。
粉体状の添加剤であれば、フィルタ４への坦持がそのまま可能である。液体状の添加剤に関しては、シリカゲルなどの多孔質粉体への含有やカプセル化などにより、予め粉体状にする必要がある。添加剤を粉体状にする手法は、得られた粉体が異物として作用するなど潤滑性能に悪影響のない手法であれば限定されない。液体状の潤滑油用添加剤は、多孔質粉体又はカプセルに含有された状態でフィルタ４により坦持される。
【００１４】
［フィルタの接着方法］
弾性シール部材２は、ゴム製や金属製のものが挙げられる。しかし、通油部２ｓへのフィルタ４の接着が可能であれば、接着方法は限定されない。例えばゴム製の弾性シール部材２であれば、ゴムの加硫時にフィルタ４も同時に組み込み状態として接着する方法が挙げられる。本実施形態では、上記の切り出されたフィルタ４を、接着剤を塗布した芯金３に貼った後に、シールリング２への加硫接着を行うことで機能性フィルタ付シールリング８が作製される。
【００１５】
［機能性フィルタ付シールリング８を備える転がり軸受１０の作用効果］
本実施形態の転がり軸受１０は、上述したフィルタ４をシールリング８に備えることにより、潤滑油がフィルタ４を通油する際に異物を捕捉するので、軸受寿命を延長できる。
さらに、フィルタ４が担持している添加剤に応じた効果が潤滑油に付与され、添加剤に応じて、潤滑油の高機能化を図れる。潤滑油に付与される効果は、坦持する添加剤の種類により異なるものの、潤滑油の劣化抑制や潤滑油性能の向上等の新たな機能の付与が挙げられる。
【００１６】
このように、本実施形態の転がり軸受１０によれば、潤滑油用添加剤を担持させたフィルタ４を、弾性シール部材２に設けた通油部２ｓにそれぞれ配置したので、フィルタ４のフィルタ機能により、潤滑油中の異物を捕捉して軸受内への異物侵入を防止することで転がり軸受の長寿命化が図れる。
さらに、本実施形態の転がり軸受１０によれば、潤滑油がフィルタ４を通過することにより、フィルタ４に坦持された添加剤が、長時間にわたって潤滑油に徐放され、添加剤に応じた効果が持続し、潤滑油の高機能・高性能・長寿命化等の新たな機能の付与が可能となる。
【００１７】
なお、本発明に係る転がり軸受は、上記実施形態に限定されるものではなく、本発明の趣旨を逸脱しなければ種々の変形が可能であることは勿論である。例えば、本発明に使用されるシールリングの形状は実施形態のものに限定せず、通油部の数と形状も任意である。
【符号の説明】
【００１８】
１    外輪
２    弾性シール部材
３    芯金
４    フィルタ（潤滑油用添加剤坦持フィルタ）
５    内輪
６    転動体
７    保持器
８    シールリング（機能性フィルタ付シールリング）
１０    転がり軸受
【図１】
2020186751.tif 000003
【図２】
2020186751.tif 000004